(57)【要約】【課題】本発明は、プロジェクターの高さを迅速に調整することができ、且つ調整操作が簡単で力を省くことが可能な高さ調整装置を提供する。【解決手段】本発明に係るプロジェクターの高さを調整することに用いられる高さ調整装置は、調整脚と、前記プロジェクターに接続し且つ前記調整脚に被せて設置して密封された気体室を形成する気圧シリンダーと、前記気圧シリンダーに取り付けて、前記気体室と外界空気との連通状態を制御する制御ボタンとを備える。【選択図】図２
2009122670.tif 000002
【特許請求の範囲】
【請求項１】
プロジェクターの高さを調整することに用いられ、
調整脚と、
前記プロジェクターに接続し且つ前記調整脚に被せて設置して密封された気体室を形成する気圧シリンダーと、
前記気圧シリンダーに取り付けられて、前記気体室と外界空気との連通状態を制御する制御ボタンと、
を備えることを特徴とする高さ調整装置。
【請求項２】
前記調整脚は、シャフト及び前記シャフトに連接する脚部を備え、前記気圧シリンダーは、前記シャフトに被せて設置されることを特徴とする請求項１に記載の高さ調整装置。
【請求項３】
前記気圧シリンダーは、筒型の本体及び前記本体の一端から延在し且つ前記プロジェクターに接続する固定座を備え、前記本体の内部に収容空間を有し、前記収容空間と前記シャフトとが係合して、前記気体室を形成することを特徴とする請求項２に記載の高さ調整装置。
【請求項４】
前記気圧シリンダーは、前記本体に直交する第一延在部及び第二延在部を更に備え、前記第一延在部及び前記第二延在部と前記制御ボタンとが互いに係合して組み立てられることを特徴とする請求項３に記載の高さ調整装置。
【請求項５】
前記第二延在部は、前記気圧シリンダーの前記気体室と連通し、前記制御ボタンは、前記第二延在部の内部に取り付けられるプランジャーを備えることを特徴とする請求項４に記載の高さ調整装置。
【請求項６】
前記制御ボタンは、スプリングによって前記気圧シリンダーの第一延在部に支えられるパネルを更に備えることを特徴とする請求項５に記載の高さ調整装置。
【請求項７】
前記シャフトの前記気体室に近接する二つの端部及び前記制御ボタンのプランジャーに別々に一つの密封リングが設置されて、前記気体室の密封性を確保することを特徴とする請求項５に記載の高さ調整装置。
【請求項８】
一端が前記調整脚に当接し、他の一端が前記気圧シリンダーに当接する他のスプリングを更に備えることを特徴とする請求項３記載の高さ調整装置。
【請求項９】
前記スプリングは、前記シャフトに被せて設置され、且つ前記気体室に収容されることを特徴とする請求項８記載の高さ調整装置。
【請求項１０】
前記シャフトに段差部が設置され、前記気圧シリンダーの内部に他の段差部が設置され、前記スプリングの両端は、別々に二つの前記段差部に当接することを特徴とする請求項９記載の高さ調整装置。
【発明の詳細な説明】
【技術分野】
【０００１】
本発明は、高さ調整装置に関するものであり、特にプロジェクターに用いられる高さ調整装置に関するものである。
【背景技術】
【０００２】
プロジェクターが画像をスクリーン上に投射する時、プロジェクターを置く投射台に制限されて、即ちテーブル表面の高度又は水平度に制限されて、スクリーン上に投射された画像が変形するため、プロジェクターの底部に高度を調整することができる調整脚を設置して、画像が変形する現象を改善する。
【０００３】
図４は、従来の技術において、回転式高さ調整装置を有するプロジェクター１０を示す図である。前記調整装置は、前記プロジェクター１０の両側に螺合する調整ボルト１５を備え、各々の調整ボルト１５は、投射台に近接する頭部１５１及び前記頭部１５１と接続するネジ部１５３を備える。前記プロジェクター１０にねじ孔部１６を設置して、前記調整ボルト１５のネジ部１５３をねじ穴部１６に螺合する。前記頭部１５１は、投射台に接触し、且つ前記プロジェクター１０の部分の重量を積載するため、前記頭部１５１と前記投射台との間に摩擦力が生じる。前記調整ボルト１５の延在する長さを調整しようとする時、使用者は、前記摩擦力より大きな外力を与えなければ前記調整ボルト１５を効果的に回転することができないため、常に苦労すると感じる。なお、使用者が前記調整ボルト１５を何度も回転しても、前記プロジェクター１０の高さは少しばかり上昇するか又は下降するかであり、調整速度が極めて遅い。
【発明の開示】
【発明が解決しようとする課題】
【０００４】
本発明の目的は、前記課題を解決し、プロジェクターの高さを迅速に調整することができ、且つ調整操作が簡単で力を省くことが可能な高さ調整装置を提供することである。
【課題を解決するための手段】
【０００５】
前記目的を達成するため、本発明に係るプロジェクターの高さを調整することに用いられる高さ調整装置は、調整脚と、前記プロジェクターに接続し且つ前記調整脚に被せて設置して密封された気体室を形成する気圧シリンダーと、前記気圧シリンダーに取り付けて、前記気体室と外界空気との連通状態を制御する制御ボタンとを備える。
【発明の効果】
【０００６】
本発明に係る高さ調整装置は、制御ボタンを操作するだけで、気圧シリンダーの内部に密封された空気の気圧作用によって、前記気圧シリンダーを調整脚の適当な位置に安定に固定することができ、従ってプロジェクターの高度を調整し易く、調整操作が簡単で、且つ力を省くことができる。
【発明を実施するための最良の形態】
【０００７】
以下、添付図面を参照しながら本発明を詳しく説明する。
【０００８】
図１は、本発明の実施形態に係るプロジェクター（図示せず）に用いられる高さ調整装置の構造を示す立体図である。前記高さ調整装置は、調整脚２０、前記調整脚２０に被せて設置され、且つ前記プロジェクターに固定接続される気圧シリンダー３０及び制御ボタン４０を備え、前記気圧シリンダー３０と前記調整脚２０とが密封された気体室を形成し、前記制御ボタン４０は、前記気圧シリンダー３０を制御して、前記気体室と外界空気との連通状態を制御する。
【０００９】
図２を参照すると、前記調整脚２０は、一体構造であって、シャフト２５及び前記シャフト２５の一端に連接する脚部２２を備える。
【００１０】
前記シャフト２５は、その中央部に位置する結合部２５５と、前記結合部２５５の両端からそれぞれ延在する支持部２５３及び案内部２５７とを備え、前記支持部２５３は、前記脚部２２に接続する。前記支持部２５３、前記結合部２５５及び前記案内部２５７は、同軸の円柱体であって、前記結合部２５５と前記案内部２５７との直径は、同じ且つ前記支持部２５３の直径より小さいため、前記結合部２５５と前記支持部２５３との境界に環形の段差部２５９を形成する。前記結合部２５５に近接する前記支持部２５３の一端の側表面に密封リング５１を嵌合する環状スロット２５３０が設置される。前記結合部２５５と前記案内部２５７との間に他の密封リング５２を嵌合する環状スロット２５５０が設置される。前記結合部２５５から離隔する前記案内部２５７の一端にＥ型ストップリング６０を係合するための係合スロット２５７０が設置され、前記気圧シリンダー３０が前記案内部２５７から滑り出すことを防ぐ。  
【００１１】
前記脚部２２は、円盤状であって、その直径は、前記シャフト２５の支持部２５３の直径より大きい。前記脚部２２の底面（図示せず）は、軟らかいゴムのような軟質であるため、プロジェクターを置くテーブル表面が擦れなく、且つプロジェクターが滑らないようにする。
【００１２】
図３を共に参照すると、前記気圧シリンダー３０は、筒型の本体３５と、前記本体３５の一端の側面から直径方向に沿って延在する固定座３２と、前記本体３５の軸方向の中央部と直交的に接続する第一延在部３７及び第二延在部３９とを備える。前記本体３５の軸方向の両端が連通されており、その内部に円柱状であって且つ同軸に連通する第一収容空間３５３及び第二収容空間３５５を設ける。前記第一収容空間３５３は、前記第一、第二延在部３７、３９に近接する前記本体３５の内側面から前記固定座３２まで延在し、前記第一収容空間３５３の直径は、前記シャフト２５の支持部２５３の外径より大きい。前記第二収容空間３５５の直径は、前記第一収容空間３５３の直径より小さく、且つ前記シャフト２５の案内部２５７の外径より大きい。前記本体３５内部は、前記第一、第二収容空間３５３、３５５の境界で段差部３５５０を形成する。前記固定座３２は、円盤状であって、その上に前記気圧シリンダー３０をプロジェクターに固定するための二つの取り付け孔３２０を設ける。前記第一、第二延在部３７、３９は、前記本体３５の中央部外壁の対向する両側面から外方に向かって直交的に延在する。前記第一、第二延在部３７、３９は、管状であって、その外径は、前記本体３５の外径より小さい。前記第一、第二延在部３７、３９は、共通の軸心を有し、且つ前記本体３５の中央部を挟むため、前記本体３５と前記第一、第二延在部３７、３９とは、“十”字を構成する。前記第一延在部３７と前記本体３５とは、互いに連通しない。前記第二延在部３９は、前記本体３５と互いに連通し且つ気体を出入りするための開口部３９０を有する。前記第二延在部３９の前記開口部３９０に近接する部分は、排気部３９２であって、前記第二延在部３９の前記本体３５に近接する部分は、連接部３９１であって、前記連接部３９１の内径は、前記排気部３９２の内径より小さく、前記連接部３９１と前記排気部３９２との境界に環状の段差部３９５を形成する。
【００１３】
前記制御ボタン４０は、長方形の枠であって、四つの平板塊が順次に連接して前記長方形の枠を囲む。前記制御ボタン４０は、パネル４２と、前記パネル４２に対向するバッフル（ｂａｆｆｌｅ）４４とを備える。前記バッフル４４の前記パネル４２に向かう面には、円柱状のプランジャー（ｐｌｕｎｇｅｒ）４６が設置される。前記プランジャー４６の前記パネル４２に近接する一端の側表面に密封リング５３を嵌合する環状スロット４６０が設置される。
【００１４】
第一スプリング７１は、圧縮スプリングであって、前記第一スプリング７１の内径は、前記結合部２５５の外径より大きく、前記第一スプリング７１の外径は、前記支持部２５３の外径より小さい。前記第一スプリング７１を前記結合部２５５の周りに被せて設置し、前記支持部２５３に近接する前記第一スプリング７１の一端は、前記段差部２５９に当接される。前記第一スプリング７１の無負荷状態での自由長は、前記結合部２５５の軸長より小さい。第二スプリング７２も圧縮スプリングであって、前記第二スプリング７２の外径は、前記第一延在部３７の内径より小さく、前記第二スプリング７２の一部分は、前記第一延在部３７の中に収容される。
【００１５】
組み立てる時、先ず前記第一スプリング７１を前記シャフト２５の結合部２５５に被せて設置し、この時、前記第一スプリング７１の一端は、前記支持部２５３の段差部２５９に当接される。続いて前記密封リング５１、５２を別々に前記シャフト２５の上の環状スロット２５３０、２５５０に嵌合してから、前記案内部２５７に沿って前記気圧シリンダー３０を前記シャフト２５に被せて設置すると、前記結合部２５５及び前記第一スプリング７１は、前記気圧シリンダー３０の第一収容空間３５３に収容され、前記第一スプリング７１の他の一端は、前記気圧シリンダー３０の内部の段差部３５５０に当接する。続いて前記Ｅ型ストップリング６０を前記案内部２５７の係合スロット２５７０に係合して、前記気圧シリンダー３０が前記案内部２５７から滑り出すことを防ぐ。前記密封リング５３を前記プランジャー４６の環状スロット４６０に嵌合する。前記制御ボタン４０を前記気圧シリンダー３０の前記固定座３２と相反する一端から下向きに移入して、前記本体３５に被せて設置される前記制御ボタン４０と前記第一、第二延在部３７、３９とを組み立てる。前記制御ボタン４０のプランジャー４６は、前記第二延在部３９の内部に収容される。前記第二スプリング７２の一端は、前記第一延在部３７の内部に収容されて且つ前記本体３５の外壁に当接し、他の一端は、前記制御ボタン４０のパネル４２に当接する。以上で調整装置の組み立て過程を終了する。図３を参照すると、前記気圧シリンダー３０と前記シャフト２５とが気体室を形成し、且つ前記三つの密封リング５１、５２、５３によって前記気体室の気密性が確保される。最後に、前記固定座３２によって前記気圧シリンダー３０をプロジェクターに固定すると、プロジェクターの高さを調整することができる。  
【００１６】
前記高さ調整装置を使う時、前記気圧シリンダー３０の固定座３２と前記調整脚２０との間の距離が最も遠くなり、よって前記プロジェクターの底部が最も高い位置に位置する。前記プロジェクターの高度を下げようとする時、前記気圧シリンダー３０に向かって前記制御ボタン４０のパネル４２を押すと、前記第二スプリング７２が圧力を受けて変形するとともに、前記プランジャー４６が前記第二延在部３９の連接部３９１から滑り出して前記排気部３９２に入るため、前記気圧シリンダー３０の第一収容空間３５３が前記排気部３９２及び前記開口３９０によって外界空気と連通する。同時に軸方向に沿って前記気圧シリンダー３０を前記脚部２２に向かって推進して適当な位置に達した時、前記制御ボタン４０を放すと、前記第二スプリング７２の弾力が回復して、前記プランジャー４６が再び前記第二延在部３９の連接部３９１に入り、前記第一収容空間３５３は、前記密封リング５１、５２、５３によって密封の気体室が形成される。物理学のボイル法則である“質量が一定な気体において、温度が一定の時、その圧力Ｐと体積Ｖの積は正の定数であり、即ちＰＶ＝定数”に基づいて、前記第一収容空間３５３が形成する密封気体室の圧力が変わらないため、前記密封気体室の体積も容易に変動せず、前記気圧シリンダー３０は、前記調整脚２０の必要とする位置に安定に固定することができ、換言するならば前記プロジェクターを適当な位置に調整することができる。この時、前記第一スプリング７１が前記気圧シリンダー３０の段差部３５５０によって変形圧縮される。
【００１７】
前記プロジェクターの高さを上げようとする時、前記気圧シリンダー３０に向かって前記制御ボタン４０のパネル４２を押すと、前記第二スプリング７２が圧力を受けて変形するとともに、前記プランジャー４６が前記第二延在部３９の連接部３９１から滑り出して前記排気部３９２に入るため、前記気圧シリンダー３０の第一収容空間３５３が外界空気と連通する。圧縮された前記第一スプリング７１が前記第一収容空間３５３の気圧の制約を失って弾力を回復するとともに前記気圧シリンダー３０を推進して、前記気圧シリンダー３０と前記脚部２２との距離が徐々に大きくなり、適当な位置に達した時、前記制御ボタン４０を放すと、前記第一収容空間３５３は、前記密封リング５１、５２、５３によって密封の気体室を形成し、前記密封の気体室の気圧の作用によって、前記気圧シリンダー３０は、前記調整脚２０の必要とする位置に安定に固定することができ、前記プロジェクターの前方部の高さを適当に調整することができ、従ってプロジェクターがスクリーン上に投射した画像の品質を改善する。
【００１８】
本発明に係る高さ調整装置は、前記制御ボタン４０を操作するだけで、前記気圧シリンダー３０の内部に密封された空気の気圧作用によって、前記気圧シリンダー３０を前記調整脚２０の適当な位置に安定に固定することができ、従ってプロジェクターの高度を調整し易くなり、従来の技術に比べて、調整ボルトを回転する必要がなく、調整操作が簡単で、且つ力を省くことができる。
【００１９】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【図面の簡単な説明】
【００２０】
【図１】本発明の実施形態に係る高さ調整装置の構造を示す図である。
【図２】図１に示す高さ調整装置の立体分解図である。
【図３】図１に示す高さ調整装置の断面図である。
【図４】従来の技術に係る高さ調整装置の使用状態を示す図である。
【符号の説明】
【００２１】
２０  調整脚
２２  脚部
２５  シャフト
３０  気圧シリンダー
３２  固定座
３５  本体
３７  第一延在部
３９  第二延在部
４０  制御ボタン
４２  パネル
４４  バッフル
４６  プランジャー
５１、５２、５３  密封リング
６０  ストップリング
７１  第一スプリング
７２  第二スプリング
２５３  支持部
２５５  結合部
２５７  案内部
２５９、３９５、３５５０  段差部
３２０  取り付け孔
３５３  第一収容空間
３５５  第二収容空間
３９０  開口部
３９１  連接部
３９２  排気部
４６０、２５３０、２５５０  環状スロット
２５７０  係合スロット
【図１】
2009122670.tif 000003
【図２】
2009122670.tif 000004
【図３】
2009122670.tif 000005
【図４】
2009122670.tif 000006